(57)【要約】【課題】多段式の操作ペダルの操作手法をユーザの好みによって切り替えることができるミシンを実現する。【解決手段】玉縁縫いミシン１０において、表示入力手段９１の表示パネルに表示されるペダル動作モード切替画面における多段式操作選択キー９１ｃと回数式操作選択キー９１ｄの何れかを選択操作することによって、操作ペダル９２が踏み込み操作された際の踏み込み量に応じてミシンの各作動装置を作動させる多段式操作モードと、操作ペダル９２が踏み込み操作された作動回数に応じてミシンの作動装置を作動させる回数式操作モードとに切り替えて、それぞれの操作モードに対応させて操作ペダル９２を操作してミシン１０を使用することを可能にした。【選択図】図１
2008054966.tif 000002
【特許請求の範囲】
【請求項１】
中立位置から前方と後方への踏み込みが可能な操作ペダルと、その操作ペダルが踏み込まれた踏み込み量を検出する検出手段と、を備え、前記操作ペダルが踏み込み操作された場合に、前記検出手段により検出された踏み込み量に対応する複数の作動装置を順次作動させて縫製作業を行うミシンにおいて、
前記各作動装置に対し、前記操作ペダルの踏み込み量に応じて各作動装置を作動させる作動指令位置が設定され、前記操作ペダルが踏み込み操作されて、予め設定されている前記作動指令位置に前記操作ペダルが達した際に、その作動指令位置に対応する作動装置を作動させるように制御を行う多段式操作モードと、
前記各作動装置に対し、前記操作ペダルが中立位置から前方及び後方に踏み込まれた踏み込み回数に応じて各作動装置を作動させる作動回数が設定され、前記操作ペダルが踏み込み操作されて、予め設定されている前記作動回数の操作が前記操作ペダルによりなされた際に、その作動回数に対応する作動装置を作動させる制御を行う回数式操作モードと、
を選択して、前記操作ペダルの操作モードを切り替える操作モード選択手段を備えることを特徴とするミシン。
【発明の詳細な説明】
【技術分野】
【０００１】
本発明は、ミシンに係り、特に操作ペダルを踏み込んで操作するミシンに関する。
【背景技術】
【０００２】
従来、足踏操作ペダルの踏み込み量や踏み込み角度を複数のスイッチにより検知し、その足踏操作ペダルが操作された段数を検出して、各段数に対応つけられたミシンの各作動部（例えば、バインダ、布押さえ等）を動作させるようになっている、多段式の足踏操作ペダルを備えるミシンが知られている（例えば、特許文献１参照。）。
【特許文献１】特許第２６７９０７６号公報
【発明の開示】
【発明が解決しようとする課題】
【０００３】
しかしながら、上記特許文献１の場合、所望する作動部を動作させる際、ユーザは足踏操作ペダルを所定の段数に保持するように、踏み込んだままの状態を維持しなければならず、その踏み込み操作加減が狂うと、所望する作動部が動作しなかったり、他の作動部が動作してしまったりすることがあった。
そのため、この多段式の足踏操作ペダルによるミシンの操作に慣れていないユーザや、多段式の足踏操作ペダルによるミシンの操作が苦手なユーザにとっては、このミシンの操作は煩わしいものであった。
【０００４】
本発明の目的は、多段式の操作ペダルの操作手法をユーザの好みによって切り替えることができるミシンを提供することである。
【課題を解決するための手段】
【０００５】
以上の課題を解決するため、請求項１に記載の発明は、中立位置から前方と後方への踏み込みが可能な操作ペダルと、その操作ペダルが踏み込まれた踏み込み量を検出する検出手段と、を備え、操作ペダルが踏み込み操作された際に、検出手段により検出された踏み込み量に対応する複数の作動装置を順次作動させて縫製作業を行うミシンにおいて、各作動装置に対し操作ペダルの踏み込み量に応じて各作動装置を作動させる作動指令位置が設定され、操作ペダルが踏み込み操作されて予め設定されている作動指令位置にその操作ペダルが達した際に、その作動指令位置に対応する作動装置を作動させるように制御を行う多段式操作モードと、各作動装置に対し操作ペダルが中立位置から前方及び後方に踏み込まれた踏み込み回数に応じて各作動装置を作動させる作動回数が設定され、操作ペダルが踏み込み操作されて予め設定されている作動回数の操作がその操作ペダルによりなされた際に、その作動回数に対応する作動装置を作動させる制御を行う回数式操作モードと、を選択して、操作ペダルの操作モードを切り替える操作モード選択手段を備えることを特徴とする。
【０００６】
請求項１に記載の発明によれば、ミシンは、操作ペダルの操作モードを多段式操作モードと回数式操作モードとに切り替えて、それぞれの操作モードによってミシンを操作することが可能になっている。
ここで、多段式操作モードとは、操作ペダルが踏み込み操作された際に、予め設定されている作動指令位置（例えば、操作ペダルが踏み込み操作された踏み込み量に応じた操作位置、配置角度）にその操作ペダルが達した場合に、その作動指令位置に対応する作動装置を作動させてミシンを動作させるように制御を行う操作モードである。
また、回数式操作モードとは、操作ペダルが前踏み操作されてプラス１カウントし、逆踏み操作されてマイナス１カウントする踏み込み操作に伴い、予め設定されている作動回数の操作がその操作ペダルによりなされた場合に、その作動回数に対応する作動装置を作動させてミシンを動作させるように制御を行う操作モードである。
つまり、このミシンにおいて、操作ペダルの操作手法をユーザの好みによって切り替えて、ミシンを操作することができる。
【発明の効果】
【０００７】
請求項１に記載の発明によれば、ミシンは、操作ペダルの操作モードを多段式操作モードと回数式操作モードとに切り替えて、それぞれの操作モードによってミシンを操作することが可能になっている。
つまり、ミシンは、操作ペダルの操作手法をユーザの好みによって切り替えて操作することができるので、操作ペダルの踏み込み量を調整しつつ各作動装置を動作させる縫製を行いたいユーザは多段式操作モードを選択し、また、操作ペダルの踏み込み回数（作動回数）を調整しつつ各作動装置を動作させる縫製を行いたいユーザは回数式操作モードを選択するようにして、それぞれ好みに合った操作モードによりミシンを操作する使い分けを可能にすることによって、ミシンの操作性や利便性を向上させることができる。
【発明を実施するための最良の形態】
【０００８】
（玉縁縫いミシンの全体構成）
以下、本発明の実施の形態である玉縁縫いミシン１０について、図面を参照して説明する。図１は玉縁縫いミシン１０の全体の概略構成を示すブロック図である。
上記玉縁縫いミシン１０は、身生地の上に玉布を重ねて二本の平行な縫い目を形成すると共に縫い目の間に直線切れ目を形成し、その両端部にＶ字切れ目を形成する。また、一方の縫い目の形成時にフラップ布の縫いつけが行われる。また、身生地には予めダーツが形成されており、縫製時にダーツによるふくらみを生じないようにダーツ延ばしが行われる。
【０００９】
玉縁縫いミシン１０は、身生地などの縫製物が載置される図示しないテーブルと、テーブル上の身生地を一対の大押さえで押さえて所定の布送り方向に沿って搬送する搬送手段としての大押さえ送り機構１２と、身生地に縫着する玉布にバインダーを当てて当該玉布の両側部を折り返すバインダー機構２０と、大押さえ送り機構１２によりＸ軸方向に沿って送られる身生地に対してミシンモータ２６により二本の縫い針を上下動させて縫い目を形成する針上下動機構２４と、縫い針の布送り方向下流側で動メスを昇降させて身生地に切れ目を形成するメス機構３０と、縫い針から縫い糸を捕捉して下糸を絡ませる釜機構（図示省略）と、テーブル上に設置されて針上下動機構２４とメス機構３０とを格納保持するミシンフレーム（図示省略）と、直線状の切れ目の両端となる位置に略Ｖ字状の切れ目を形成するコーナーメス機構３４と、大押さえの上面に載置されたフラップ布を保持するフラップ保持機構４０と、テーブル上に載置された身生地をテーブル上面に吸着させるバキューム装置５０と、ダーツが形成された身生地のダーツによる膨らみを押さえるために引き延ばす際に布端の保持を行うダーツ延ばし装置５４と、上記各種作業を行う装置又は機構の動作や処理の制御を行う制御手段６０と、縫製に関する各種の設定や現在のミシンの状態を表示すると共に各種の設定を行うための画面選択やコマンド、数値の入力を行うための表示入力手段９１と、縫製に関する各種の作業を工程ごとに切り替えるための人為的な入力が行われる操作ペダル９２と、を備えている。
【００１０】
そして、玉縁縫いミシン１０は、この操作ペダル９２の操作により、上述した大押え送り機構１２による身生地の搬送、ミシンモータ２６により駆動される２本の縫い針の上下動による縫い目の形成、メス機構３０による直線きれい目の形成及びコーナーメス機構３４による直線切れ目の両端部への略Ｖ字状切れ目のなど、各種の作業を実行する複数の作動装置による縫製に要する各種の作業を、複数の工程に分けて当該各工程を順番に実行する。
なお、上記大押さえ送り機構１２、バインダー機構２０、針上下動機構２４、メス機構３０、フラップ保持機構４０、バキューム装置５０、ダーツ延ばし装置５４による各種作業の駆動源となる作動装置は、いずれも図示しないインターフェイス及びドライバ回路を介して制御手段６０により制御されるようになっている。
【００１１】
（各種の作動装置）
大押さえ機構１２は、テーブル上の身生地を押さえるために昇降可能に支持された左右一対の大押さえを備え、各大押さえはエアシリンダである右昇降シリンダ１６と左昇降シリンダ１８とにより個別に行われる。これらのシリンダ１６，１８は制御手段６０に制御される図示しない電磁弁により作動の切り替えが行われる。
また、大押さえ機構１２は、各大押さえを支持するガイド機構により所定の布送り方向に沿って移動させる押さえモータ１４を備え、これにより身生地その他の被縫製物を布送り方向に沿って搬送するようになっている。
【００１２】
バキューム装置５０は、テーブルの布セット位置に設けられた無数の吸引孔とこれに連通する吸引ポンプ５２とを備え、吸引ポンプ５２の作動によりテーブル上面に身生地の吸着保持を行う。
【００１３】
ダーツ延ばし装置５４は、ダーツが形成された身生地の一端部を上方から押さえつけるためのエアシリンダである押圧シリンダ５６を備え、当該押圧シリンダ５６は制御手段６０に制御される図示しない電磁弁により作動の切り替えが行われる。なお、ダーツ延ばし装置５４は、ダーツを引き延ばすために身生地の一端部を押圧保持するための手段であって、引き延ばし作業は作業者が保持された身生地の他端部を引っ張ることで行われる。
【００１４】
バインダー機構２０は、断面逆さＴ字状であって底板をくるむように玉布を沿わせると共にその状態で玉布を布送り方向に送り出すためのバインダーと、当該バインダーの昇降を行うエアシリンダとしてのバインダー昇降シリンダ２２とを備えている。
バインダーは身生地のセット位置の上方で昇降可能に支持され、身生地の上面に玉布がセットされるとバインダー昇降シリンダ２２によりバインダーを下降させて当該バインダーの上側に玉布の両端部を折り返させるようになっている。また、図示はしないが大押え送り機構１２の各大押さえにはバインダーの上側に玉布の両端部を折り返させるために進退移動する折り込み板が設けられており、バインダーが下降すると連動して作動するようになっている。
当該バインダー昇降シリンダ２２は制御手段６０に制御される図示しない電磁弁により作動の切り替えが行われる。
【００１５】
フラップ保持機構４０は、バインダーに玉布が保持された後に左右の右フラップ用シリンダ４２と左フラップ用シリンダ４４とを備えている。フラップ布は通常は左右いずれか一方の大押さえの上面に選択的にセットされるが、玉縁縫いミシン１０では、両方のフラップ用シリンダ４２，４４が作動するように制御される。
当該各フラップ用シリンダ４２，４４は制御手段６０に制御される図示しない電磁弁により作動の切り替えが行われる。
【００１６】
針上下動機構２４は、それぞれ縫い針を下端部に保持する二本の針棒と、ミシンモータ２６により回転駆動される上軸と、上軸の回転を上下動に変換して各針棒に伝達するクランク機構とを備えている。
【００１７】
メス機構３０は、直線状の切れ目を形成する動メスと、動メスを下端部に備えるメス棒と、メス棒の上下動の駆動源となるメスモータ３２と、メスモータ３２からの回転駆動力を上下方向の往復の駆動力に替えてメス棒に伝達するクランク機構とを備えている。
即ち、メスモータ３２は、身生地の送り動作と共に回転駆動を行い、伝達機構により動メスを上下動させて、メス幅に応じた切れ目を繰り返し形成して直線状の切れ目を形成する。
【００１８】
釜機構は、二本の縫い針に個別に対応する二つの水平釜と、各水平釜に回転駆動力を付与する下軸とを有し、下軸はミシンモータ２６により回転駆動されるようになっており、釜機構単独で作動装置としての駆動源を備えてはいない。
【００１９】
コーナーメス機構３４は、テーブルの下方において出没可能に支持された一対のメスからなるコーナーメスと、コーナーメスの昇降を行うエアシリンダとしてのメス昇降シリンダ３６とを備え、コーナーメスの設置位置に搬送された身生地をメス昇降シリンダ３６により上昇されるコーナーメスで下方から突き通すことで直線状の切れ目の両端となる位置に略Ｖ字状の切れ目を形成するものである。
当該メス昇降シリンダ３６は制御手段６０に制御される図示しない電磁弁により作動の切り替えが行われる。
【００２０】
（表示入力手段）
表示入力手段９１は表示パネルとその表示画面の表面に貼着されるシート状のタッチセンサからなり、シートの表面において外部から接触された位置を検出する。表示パネルには表示情報と共に各種入力を行うためのスイッチ画面が表示され、当該各スイッチ画面に対してオペレータが指先を接触させることでスイッチの入力を検知することができるようになっている。つまり、表示パネルとタッチセンサとの協働により、各種の設定を行うための画面選択やコマンド、数値の入力を行うための設定入力手段として機能することとなる。具体的には、表示入力手段９１からは、玉縁縫いを行うための各種のパラメータ、例えば、縫いピッチ、ミシンモータ２６の回転速度、玉縁縫いの縫い長さ（縫い目を形成する際の大押さえ送り機構１２による搬送量）、身生地のセットを前基準位置、後基準位置のいずれで行うか等の設定入力や、後述する操作ペダル９２によって実行が指示される各工程ごとに作業割り当てを行うための入力が作業者により行われる。
【００２１】
（操作ペダル）
操作ペダル９２は、踏み込み操作による操作位置に応じて七工程まで実行の指示が可能であって、作業者の足による踏み込み操作により回動可能なペダル部材１と、ペダル部材１の回動操作によりその回動角度量に応じた指令信号を順次発生し、その指令信号を制御手段６０に出力するボリュームと９２ａ等を備えている。
具体的には、操作ペダル９２は、図２、図３に示すように、ペダル軸１ａに軸支され、中立位置から前方への前踏みと後方への後踏みの踏み込みが可能なペダル部材１と、ペダル部材１の前端部に一端部２ａが軸支され、他端部２ｂがペダルレバー３の先端側に連結されている連結棒２と、ペダル部材１の踏み込みに伴う揺動が連結棒２を介して伝達されてレバー軸３ａを軸心に回動するペダルレバー３と、ペダルレバー３に接続されたボリューム９２ａが内部に収容されているペダルセンサ４等を備えている。
【００２２】
また、ペダルレバー３の先端側にはボールジョイント５が備えられており、ペダル部材１の踏み込みに伴いペダルレバー３が回動すると、そのボールジョイント５がフレーム板６に形成された係合穴６ａ…に係入するようになっている。そして、ボールジョイント５が係合穴６ａに係入する際の操作力の変化や「カチッ」という振動音により、ペダル部材１（操作ペダル９２）の踏み込み量や段数が切り替わったことをユーザが認識できるようになっている。なお、このボールジョイント５は、ペダルレバー３を回動した配置に留めて維持するためのものではないので、ユーザがペダル部材１の踏み込みを止めて放すと、ペダル部材１は初期位置に戻り、それに伴いペダルレバー３も初期位置に戻るようになっている。
【００２３】
ペダルセンサ４は、ペダル部材１（操作ペダル９２）が踏み込まれた操作位置に応じてボリューム９２ａが発生する指令信号が制御手段６０に出力されるようになっており、検出手段としての制御手段６０は、検出手段の一部として機能するボリューム９２ａから入力される信号の電流／電圧値の変化により、ペダル部材１（操作ペダル９２）の操作位置や配置角度の変化を認識することが可能となっている。
つまり、操作ペダル９２のペダル部材１が踏み込み操作された際の踏み込み量と、その踏み込み量に応じてボリューム９２ａから出力される指令信号の変化（例えば、強弱変化）とを対応させて、制御手段６０はそのペダル部材１が踏み込まれた操作位置や配置角度を認識することができ、また、操作ペダル９２のペダル部材１が所定量踏み込み操作された際にボリューム９２ａから出力される指令信号の変化を検知する（例えば、信号のオン／オフやプラス／マイナスをカウントする）ことで、制御手段６０はそのペダル部材１が踏み込まれた操作回数（作動回数）を認識することができるようになっている。
【００２４】
そして、本発明に係る玉縁縫いミシン１０における操作ペダル９２は、操作ペダル９２が踏み込み操作された際の踏み込み量に応じてミシンの各作動装置を作動させる多段式操作モードと、操作ペダル９２が踏み込み操作された作動回数に応じてミシンの作動装置を作動させる回数式操作モードと、に対応させて使用することができるように切り替えが可能になっている。
なお、ペダル部材１（操作ペダル９２）は前踏みと後踏みが可能となっているが、何れの場合にも、各工程の切り替えは一段ごとに推移するようになっており、飛び越しでの段数切り替えは行われない。
【００２５】
そして、後述する制御手段６０は、操作ペダル９２が操作位置に応じて順次発生する指令信号に応じて、縫製における一つの工程を実行するように玉縁縫いミシン１０の動作制御を実行する。そして、制御手段６０では、各工程ごとに後述する縫製作業に要する複数の機能を割り当てている。そして、操作ペダル９２が一段階踏み込まれたり、１回踏まれたりするたびに、各工程に対応する指令信号が発生し、各入力段階や入力回数に対応する工程の機能が実行されるようになっている。つまり、操作ペダル９２は、入力操作により各工程の実行を指令する指令信号を発生する操作手段として機能する。
【００２６】
（制御手段）
制御手段６０は、各種の制御を行うＣＰＵ６１と、機能設定プログラム６２ａと操作モード選択プログラム６２ｂと縫製プログラム６２ｃとが記憶されたプログラムメモリ６２と、機能分類データ６３ａとペダル機能設定データ６３ｂと縫製データ６３ｃとが書き込まれているデータメモリ６３と、を備えている。
【００２７】
機能分類データ６３ａは、前述した各種の作動装置が実行する各種の作業（機能）である、ダーツ延ばし装置下降Ａ、バキューム装置吸引Ｂ、大押さえ装置前進動作（身生地のセット位置への移動動作）Ｃ、右側大押さえ装置下降Ｄ、左側大押さえ装置下降Ｅ、バインダー下降（折り込み板作動）Ｆ、右側フラップ押さえ下降Ｇ、左側フラップ押さえ下降Ｈ、縫製スタート（ミシンモータ、メスモータ等の作動）Ｉについて、各作業の実行の優先順位毎に各機能群としてのグループ化して記憶されている。つまり、この機能分類データ６３ａは、操作ペダル９２の操作位置に応じて実行が指令される各工程ごとに各機能を割り当てる際に参照される実行順情報である。
図４は機能分類データ６３ａの内容を示す概念図である。図４に示すように、機能分類データ６３ａは、上述した各機能Ａ〜Ｉが第１から第５の順番で実行されるように定められた各グループとしての第１〜第５機能群のいずれに属するかを示している。
【００２８】
ペダル機能設定データ６３ｂは、前述した各種の作動装置が実行する各機能Ａ〜Ｉが、操作ペダル９２の操作により実行が指令される各工程のいずれに割り当てられているかを示すデータであり、機能設定プログラム６２ａの実行により操作ペダル９２の操作により実行が指令される各工程に各機能の割り当てが行われることにより作成されるデータである。
このペダル機能設定データ６３ｂは、縫製プログラム６２ｂの実行の際に、操作ペダル９２の操作位置が変わるたびに、いずれの機能を実行すべきか参照される。
具体的に、このペダル機能設定データ６３ｂの一例としては、図５に示す、表示入力手段９１の表示パネルの表示画面Ｍ１のように、ペダル一段目（前踏み（作動回数）１回）で実行が指令される工程に大押さえ装置前進動作Ｃが割り当てられ、ペダル二段目（前踏み（作動回数）２回）で実行が指令される工程に右側大押さえ装置下降Ｄ及び左側大押さえ装置下降Ｅが割り当てられ、ペダル三段目（前踏み（作動回数）３回）で実行が指令される工程にバインダー下降Ｆが割り当てられ、ペダル四段目（前踏み（作動回数）４回）で実行が指令される工程に右側フラップ押さえ下降Ｇ及び左側フラップ押さえ下降Ｈが割り当てられ、ペダル五段目（前踏み（作動回数）５回）で実行が指令される工程に縫製スタートＩが割り当てられているデータである。
なお、ペダル機能設定データの設定登録は、表示入力手段９１の表示パネルを介して入力可能になっており、後述する機能設定プログラム６２ａに従い、ユーザが任意の順に各工程を設定することができるようになっている。
【００２９】
縫製データ６３ｃには、表示入力手段９１から入力された玉縁縫いを行うための各種のパラメータ（例えば、縫いピッチ、ミシンモータ２６の回転速度、玉縁縫いの縫い長さ、縫い針，動メス，コーナーメスの配置や動作量等）が含まれている。
特に、本発明に係る玉縁縫いミシン１０の縫製データ６３ｃには、多段式操作モードにおいて操作ペダル９２を踏み込み操作する踏み込み量に応じた各段数（各段目）に対応する踏み込み量データ（図６参照）や、回数式操作モードにおいて操作ペダル９２を踏み込み操作する作動回数に対応する踏み込み量データ（図７参照）が、含まれている。
【００３０】
具体的には、例えば、図６に示す、表示入力手段９１の表示パネルの表示画面Ｍ２のように、多段式操作モードにおいて操作ペダル９２を踏み込み操作する各段数（各段目）に対応する踏み込み量データとして、操作ペダル９２のペダル部材１が中立位置（０段目）となる踏み込み量を「３６」、１段目となる踏み込み量を「４８」、２段目を「５５」、３段目を「６１」、４段目を「７０」、５段目を「７８」、６段目を「８６」、７段目を「９４」、逆踏み（−１段目）を「１３」、のように予め設定されている。つまり、操作ペダル９２のペダル部材１が、所定の踏み込み量分（例えば、「４８」）踏み込まれてなす角度や配置（例えば、１段目）が、その踏み込み量に対応する作動指令位置となる。
また、例えば、図７に示す、表示入力手段９１の表示パネルの表示画面Ｍ３のように、回数式操作モードにおいて操作ペダル９２を踏み込み操作する作動回数をカウントするための踏み込み量データとして、操作ペダル９２のペダル部材１が中立位置（“０”位置）となる踏み込み量を「３６」、作動回数をプラス１カウントする踏み込み位置（“＋１”位置、前踏み位置）となる前方への踏み込み量を「８２」、作動回数をマイナス１カウントする踏み込み位置（“−１”位置、逆踏み位置）となる後方への踏み込み量を「１３」、のように予め設定されている。
【００３１】
そして、図６に示す表示画面Ｍ２における多段式操作モード用の踏み込み量データと、図５に示す表示画面Ｍ１のペダル機能設定データ６３ｂとが対応つけられることにより、ペダル部材１を１段目の「踏み込み量；４８」まで踏み込むと、大押さえ装置前進動作Ｃが実行され、ペダル部材１を２段目の「踏み込み量；５５」まで踏み込むと、右側大押さえ装置下降Ｄ及び左側大押さえ装置下降Ｅが実行され、ペダル部材１を３段目の「踏み込み量；６１」まで踏み込むと、バインダー下降Ｆが実行され、ペダル部材１を４段目の「踏み込み量；７０」まで踏み込むと、右側フラップ押さえ下降Ｇ及び左側フラップ押さえ下降Ｈが実行され、ペダル部材１を５段目の「踏み込み量；７８」まで踏み込むと、縫製スタートＩが実行されるようになる。
【００３２】
また、図７に示す表示画面Ｍ３における回数式操作モード用の踏み込み量データと、図５に示す表示画面Ｍ１のペダル機能設定データ６３ｂとが対応つけられることにより、ペダル部材１を１回分踏み込んで「作動回数；＋１」とすると、大押さえ装置前進動作Ｃが実行され、ペダル部材１を２回分踏み込んで「作動回数；＋２」とすると、右側大押さえ装置下降Ｄ及び左側大押さえ装置下降Ｅが実行され、ペダル部材１を３回分踏み込んで「作動回数；＋３」とすると、バインダー下降Ｆが実行され、ペダル部材１を４回分踏み込んで「作動回数；＋４」とすると、右側フラップ押さえ下降Ｇ及び左側フラップ押さえ下降Ｈが実行され、ペダル部材１を５回分踏み込んで「作動回数；＋５」とすると、縫製スタートＩが実行されるようになる。
なお、回数式操作モードにおいて、中立位置である「踏み込み量；３６」からペダル部材１を前方に「踏み込み量；８２」まで踏み込む（前踏みする）と作動回数をプラス１カウントし、中立位置である「踏み込み量；３６」からペダル部材１を後方に「踏み込み量；１３」まで踏み込む（逆踏みする）と作動回数をマイナス１カウントするようなっており、一度中立位置である「踏み込み量；３６」にペダル部材１を戻した後、再度前方や後方にペダル部材１を踏み込むことによって、次の作動回数がカウントされるようになっている。
そして、前踏みと逆踏みをそれぞれ何回か行ったトータルの回数に応じてカウントされた作動回数に対応する工程が実行されるようになっている。
【００３３】
なお、踏み込み量データの設定、登録は、表示入力手段９１の表示パネルを介して入力可能になっており、ユーザが任意の値に設定し登録することができるようになっている。
例えば、表示入力手段９１の表示パネルに表示画面Ｍ１や表示画面Ｍ２を表示した状態で、操作ペダル９２のペダル部材１を踏み込んだままペダル段数キー９１ａやペダル作動キー９１ｂを押下することによって、その踏み込み操作に応じた踏み込み量データが、押下したキーに関連つけられて設定されるようになっている。
【００３４】
機能設定プログラム６２ａは、操作ペダル９２の操作により発生する指令信号毎に縫製作業の一つの工程として割り当てる設定手段としての表示入力手段９１の設定入力操作に従い、各工程に対して各機能Ａ〜Ｉの割り当てを行うと共に、その割り当てに従ってペダル機能設定データ６３ｂを生成するためのプログラムである。
割り当ては、実行の優先順位の早い段数から行われ、各工程ごとに割り当てることが可能な機能の機能群を機能群順に一覧を表示入力手段９１により順次表示し、その中から選択を受け付けるようにして行われる。その際、割り当て可能な機能か否かの判断には、前述した機能分類データが参照される。
【００３５】
操作モード選択プログラム６２ｂは、操作ペダル９２が踏み込み操作された際の踏み込み量に応じてミシンの各作動装置を作動させる多段式操作モードと、操作ペダル９２が踏み込み操作された作動回数に応じてミシンの作動装置を作動させる回数式操作モードとに対応させて操作ペダル９２を使用することができるように切り替えるプログラムである。
【００３６】
具体的には、例えば、図８に示す、表示入力手段９１の表示パネルの表示画面Ｍ４に表示されるペダル動作モード切替画面における多段式操作選択キー９１ｃが押下されて、操作モード選択手段としての制御手段６０によって多段式操作モードが選択されると、玉縁縫いミシン１０は多段式操作モードに切り替わり、制御手段６０は、操作ペダル９２が踏み込まれた踏み込み量に応じて順次発生する指令信号に応じて、その踏み込み量に対応する工程を順次実行し、複数の作動装置を順次作動させるように玉縁縫いミシン１０の動作制御を実行するようになる。
つまり、多段式操作モードの玉縁縫いミシン１０において、操作ペダル９２（ペダル部材１）を踏み込み操作すると、その踏み込まれた踏み込み量に応じたペダルの段数である作動指令位置に対応する工程の作動装置を作動させて、玉縁縫いミシン１０を動作させるようになっている。
【００３７】
また、図８に示す、表示入力手段９１の表示パネルの表示画面Ｍ４に表示されるペダル動作モード切替画面における回数式操作選択キー９１ｄが押下されて、操作モード選択手段としての制御手段６０によって、回数式操作モードが選択されると、玉縁縫いミシン１０は回数式操作モードに切り替わり、制御手段６０は、操作ペダル９２が踏み込まれた踏み込み回数（作動回数）に応じて順次発生する指令信号に応じて、その踏み込み回数に対応する工程を順次実行し、複数の作動装置を順次作動させるように玉縁縫いミシン１０の動作制御を実行するようになる。
つまり、回数式操作モードの玉縁縫いミシン１０において、操作ペダル９２（ペダル部材１）を踏み込み操作すると、ペダルが踏み込まれた前踏みと逆踏みのトータルの回数に応じてカウントされた作動回数に対応する工程の作動装置を作動させて、玉縁縫いミシン１０を動作させるようになっている。
【００３８】
縫製プログラム６２ｃは、機能設定プログラム６２ａにより生成されたペダル機能設定データ６３ｂを参照しつつ操作ペダル９２から入力される指令信号に応じて実行が指令される各工程に各機能Ａ〜Ｉを順次実行させる動作制御を行うと共に、縫製データ６３ｃに記憶された玉縁縫いを行うための各種のパラメータを参照しつつ、押さえモータ、ミシンモータ、メスモータ、メス昇降シリンダの駆動を制御し、縫い目、直線切れ目、コーナー切れ目の形成を行うためのプログラムである。
【００３９】
次に、玉縁縫いミシン１０における操作ペダル９２の踏み込み操作に応じたミシンの動作制御について、図９、図１０に示すフローチャートに基づき説明する。
【００４０】
まず、玉縁縫いミシン１０の表示入力手段９１の表示パネルに、所定のペダル動作モード切替画面（図８参照）を表示させる（ステップＳ１０１）。
そして、そのペダル動作モード切替画面における選択操作によって、多段式操作モードと回数式操作モードの何れかが選択される（ステップＳ１０２）。
【００４１】
制御手段６０が、ペダル動作モード切替画面（図８参照）における多段式操作選択キー９１ｃが押下されて、多段式操作モードが選択されたと判断すると（ステップＳ１０２；Ｙｅｓ）、制御手段６０は、操作ペダル９２が操作されていない状態において、操作ペダル９２の踏み込み操作（踏み込み量）に応じた段数を０（ｎ＝０）とリセットする（ステップＳ１０３）。
そして、制御手段６０は、操作ペダル９２が中立位置（例えば、踏み込み量「３６」）にあることを確認し（ステップＳ１０４；Ｙｅｓ）、ステップＳ１０５へ進む。
【００４２】
次いで、制御手段６０は、操作ペダル９２が現在より一段前方に踏み込まれたか否かを判断する（ステップＳ１０５）。
制御手段６０が、操作ペダル９２が１段分前方に踏み込まれたと判断すると（ステップＳ１０５；Ｙｅｓ）、制御手段６０は、操作ペダル９２が１段分踏み込み操作されたものとして、ペダルが踏み込まれている段数をプラス１（ｎ＝ｎ＋１）カウントする（ステップＳ１０６）。
そして、制御手段６０は、操作ペダル９２が踏み込み操作されている段数であるｎ段目の工程を実行するように、ｎ段目に対応する工程に応じた作動装置を作動させる（ステップＳ１０７）。
【００４３】
次いで、制御手段６０は、全ての工程の動作を終えて、縫製が終了したか否かを判断する（ステップＳ１０８）。
制御手段６０が、縫製は終了していないと判断すると（ステップＳ１０８；Ｎｏ）、ステップＳ１０５に戻る。
一方、制御手段６０が、縫製終了と判断すると（ステップＳ１０８；Ｙｅｓ）、ミシンを停止する。
【００４４】
一方、制御手段６０が、操作ペダル９２が１段分前方に踏み込まれていないと判断すると（ステップＳ１０５；Ｎｏ）、制御手段６０は、操作ペダル９２が現在より一段開放されたか否か（操作ペダル９２が現在より一段後方に配置を戻したか否か）を判断する（ステップＳ１０９）。
制御手段６０が、操作ペダル９２が現在より一段分開放されていないと判断すると（ステップＳ１０９；Ｎｏ）、ステップＳ１０５に戻る。
【００４５】
一方、制御手段６０が、操作ペダル９２が現在より一段分開放された判断すると（ステップＳ１０９；Ｙｅｓ）、制御手段６０は、操作ペダル９２が１段分開放されて戻されたものとして、ペダルが踏み込まれている段数をマイナス１（ｎ＝ｎ−１）カウントする（ステップＳ１１０）。
そして、制御手段６０は、現在の段数が“０”以上か否か（ｎ≧０）を判断する（ステップＳ１１１）。
制御手段６０が、現在の段数ｎが“０”未満である（ｎ＜０）と判断すると（ステップＳ１１１；Ｎｏ）、ステップＳ１０３に戻る。
一方、制御手段６０が、現在の段数ｎが“０”以上であると判断すると（ステップＳ１１１；Ｙｅｓ）、制御手段６０は、その直前に作動して動作済みの作動装置を１つ動作前に復帰させ（ステップＳ１１２）、ステップＳ１０５に戻る。
【００４６】
また、一方、ステップＳ１０２において、制御手段６０が、ペダル動作モード切替画面（図８参照）における回数式操作選択キー９１ｄが押下されて、回数式操作モードが選択されたと判断すると（ステップＳ１０２；Ｎｏ）、制御手段６０は、操作ペダル９２が操作されていない状態において、操作ペダル９２が踏み込み操作された回数に応じた作動回数を０（Ｎ＝０）とリセットする（ステップＳ１１３）。
そして、制御手段６０は、操作ペダル９２が中立位置（例えば、踏み込み量「３６」）にあることを確認し（ステップＳ１１４；Ｙｅｓ）、ステップＳ１１５へ進む。
【００４７】
次いで、制御手段６０は、操作ペダル９２が前踏みされたか否かを判断する（ステップＳ１１５）。
制御手段６０が、操作ペダル９２が前踏み操作されたと判断すると（ステップＳ１１５；Ｙｅｓ）、制御手段６０は、現在の作動回数が、作動回数の最大値（例えば、図５に示すペダル機能設定データにおける作動回数の最大値は“５”）より少ないか否か（Ｎ＜ＭＡＸ）を判断する（ステップＳ１１６）。
制御手段６０が、現在の作動回数Ｎは、作動回数の最大値ＭＡＸより少ないと判断すると（ステップＳ１１６；Ｙｅｓ）、制御手段６０は、作動回数をプラス１（Ｎ＝Ｎ＋１）カウントして（ステップＳ１１７）、ステップＳ１１８へ進む。なお、現在の作動回数が最大値に達している場合、その最大値のままステップＳ１１８へ進む。
そして、制御手段６０は、操作ペダル９２が踏み込み操作された回数である作動回数「Ｎ回」の工程を実行するように、Ｎ回に対応する工程に応じた作動装置を作動させる（ステップＳ１１８）。
【００４８】
次いで、制御手段６０は、全ての工程の動作を終えて、縫製が終了したか否かを判断する（ステップＳ１１９）。
制御手段６０が、縫製は終了していないと判断すると（ステップＳ１１９；Ｎｏ）、ステップＳ１１４に戻る。
一方、制御手段６０が、縫製終了と判断すると（ステップＳ１１９；Ｙｅｓ）、ミシンを停止する。
【００４９】
一方、制御手段６０が、操作ペダル９２が前踏み操作されていないと判断すると（ステップＳ１１５；Ｎｏ）、制御手段６０は、操作ペダル９２が逆踏みされたか否かを判断する（ステップＳ１２０）。
制御手段６０が、操作ペダル９２が逆踏み操作されていないと判断すると（ステップＳ１２０；Ｎｏ）、ステップＳ１１５に戻る。
【００５０】
一方、制御手段６０が、操作ペダル９２が逆踏み操作されたと判断すると（ステップＳ１２０；Ｙｅｓ）、制御手段６０は、現在の作動回数が“０”以上か否か（Ｎ≧０）を判断する（ステップＳ１２１）。
制御手段６０が、現在の作動回数Ｎは“０”以上であると判断すると（ステップＳ１２１；Ｙｅｓ）、制御手段６０は、作動回数をマイナス１（Ｎ＝Ｎ−１）カウントする（ステップＳ１２２）。
そして、制御手段６０は、その直前に作動して動作済みの作動装置を１つ動作前に復帰させて（ステップＳ１２３）、ステップＳ１１４に戻る。
一方、制御手段６０が、現在の作動回数Ｎは“０”未満である（Ｎ＝−１である）と判断すると（ステップＳ１２１；Ｎｏ）、ステップＳ１１３に戻る。
【００５１】
このように、本発明に係る玉縁縫いミシン１０は、表示入力手段９１の表示パネルに表示されるペダル動作モード切替画面（図８参照）における多段式操作選択キー９１ｃと回数式操作選択キー９１ｄの何れかを選択操作することによって、操作ペダル９２が踏み込み操作された際の踏み込み量に応じてミシンの各作動装置を作動させる多段式操作モードと、操作ペダル９２が踏み込み操作された作動回数に応じてミシンの作動装置を作動させる回数式操作モードとに切り替えて、それぞれの操作モードに対応させて操作ペダル９２を操作してミシン１０を使用することができるようになっている。
つまり、玉縁縫いミシン１０は、ユーザの好みに応じて、操作ペダル９２の操作手法、操作モードを容易に切り替えることができるので、操作ペダル９２の踏み込み量を調整しつつ各工程の作動装置を動作させる縫製を行いたいユーザは多段式操作モードを選択し、また、操作ペダル９２の踏み込み回数（作動回数）を調整しつつ各工程の作動装置を動作させる縫製を行いたいユーザは回数式操作モードを選択して、それぞれ好みに合った操作モードによって玉縁縫いミシン１０を操作することができる。
従って、玉縁縫いミシン１０は、多段式の操作ペダル９２の操作手法をユーザの好みに応じて切り替えることができるミシンであって、ユーザの好みに合った操作モードによって玉縁縫いミシン１０を操作することを可能にすることにより、ミシンの操作性や利便性を向上させることができるミシンであるといえる。
【００５２】
なお、以上の実施の形態においては、ペダル操作の５段目（作動回数５回）にまで縫製に関する工程を割り当てたペダル機能設定データをもとに説明したが、本発明はこれに限定されるものではなく、機能分類データに基づいて最大７段のペダル操作に、任意の作動装置実行の工程を割り当てるようにしてもよい。
【００５３】
また、その他、具体的な細部構造等についても適宜に変更可能であることは勿論である。
【図面の簡単な説明】
【００５４】
【図１】本発明に係る玉縁縫いミシンの要部構成を示すブロック図である。
【図２】操作ペダルを示す斜視図である。
【図３】操作ペダルの一部を示す拡大図である。
【図４】機能分類データの内容を示す説明図ある。
【図５】ペダル機能設定データの一例を示す表示画面の説明図である。
【図６】多段式操作モードにおける踏み込み量データの一例を示す表示画面の説明図である。
【図７】回数式操作モードにおける踏み込み量データの一例を示す表示画面の説明図である。
【図８】ペダル動作モード切替画面の一例を示す表示画面の説明図である。
【図９】本発明に係る玉縁縫いミシンにおける操作ペダルの踏み込み操作に応じたミシンの動作制御を示すフローチャート（Ｓ１０１〜Ｓ１１２；多段式操作モード）である。
【図１０】本発明に係る玉縁縫いミシンにおける操作ペダルの踏み込み操作に応じたミシンの動作制御を示すフローチャート（Ｓ１１３〜Ｓ１２３；回数式操作モード）である。
【符号の説明】
【００５５】
１      ペダル部材
２      連結棒
３      ペダルレバー
４      ペダルセンサ
１０    玉縁縫いミシン（ミシン）
６０    制御手段（検出手段、操作モード選択手段）
９１    表示入力手段
９２    操作ペダル
９２ａ  ボリューム（検出手段）
【図１】
2008054966.tif 000003
【図２】
2008054966.tif 000004
【図３】
2008054966.tif 000005
【図４】
2008054966.tif 000006
【図５】
2008054966.tif 000007
【図６】
2008054966.tif 000008
【図７】
2008054966.tif 000009
【図８】
2008054966.tif 000010
【図９】
2008054966.tif 000011
【図１０】
2008054966.tif 000012